(57)【要約】【課題】等速ジョイントのためのボールケージを改良する。【解決手段】ボールケージ２が、縦軸線Ａを有するリング体から成っており、リング体に、周に沿って分配された複数の窓３が形成されており、窓３が、周方向でみて縦ウェブ４によって互いに分離されていて、かつ軸方向でリングウェブ５，６によって制限されており、リングウェブ５，６が、ボールケージ２の、窓３の配置された周方向領域で、ボールケージ２の、縦ウェブ４の配置された周方向領域よりも大きな半径方向肉厚を有している。【選択図】図１
2007298167.tif 000002
【特許請求の範囲】
【請求項１】
等速ジョイントのためのボールケージ（２）において、
当該ボールケージ（２）が、縦軸線（Ａ）を有するリング体から成っており、
該リング体に、周に沿って分配された複数の窓（３）が形成されており、
これらの窓（３）が、周方向でみて縦ウェブ（４）によって互いに分離されていて、かつ軸方向でリングウェブ（５，６）によって制限されており、
リングウェブ（５，６）が、ボールケージ（２）の、窓（３）の配置された周方向領域で、ボールケージ（２）の、縦ウェブ（４）の配置された周方向領域よりも大きな半径方向肉厚を有していることを特徴とする、等速ジョイントのためのボールケージ。
【請求項２】
等速ジョイントのためのボールケージを製作する方法において、
以下の方法ステップ；
管外面（２２）と管内面（２３）と間に、比較的大きな肉厚を有する、縦方向で延びる複数の周方向領域と、周に沿ってこれらの周領域と交互に位置する、比較的小さな肉厚を有する、縦方向で延びる複数の周方向領域とを備えた、長さにわたって一定の横断面を有する成形管を準備し、
成形管を短縮してリング部分（２１）を形成し、
比較的大きな肉厚を有する周方向領域でリング部分（２１）に、周に沿って分配された窓（３）を形成する、
ステップを有することを特徴とする、等速ジョイントのためのボールケージを製作する方法。
【請求項３】
等速ジョイント、特に摺動式等速ジョイントであって、
縦軸線（Ａ）と交差する外側のボールトラック（３３）のグループを備えたジョイント外側部分（３２）が設けられており、
縦軸線（Ａ）と交差する内側のボールトラック（３５）のグループを備えたジョイント内側部分（３４）が設けられており、
縦軸線（Ａ）と交差する外側のボールトラック（３３）と、縦軸線（Ａ）と交差する内側のボールトラック（３５）とが、交差していて、かつ対偶を成しており、
トルク伝達するボール（３６）が設けられており、ボール（３６）が、互いに交差する外側のボールトラック（３３）と内側のボールトラック（３５）との対偶によって収容され、かつガイドされており、
周に沿って分配された窓（３）を備えたボールケージ（２）が設けられており、窓（３）内で、トルク伝達するボール（３６）が、共通の平面（Ｍ）上に保持されている形式のものにおいて、
請求項１または２記載の構成をしたボールケージ（２）が設けられていることを特徴とする、等速ジョイント。
【発明の詳細な説明】
【技術分野】
【０００１】
本発明は、等速ジョイント、特にＶＬジョイントの構成をした摺動式等速ジョイントのためのボールケージに関する。さらに本発明は、そのようなボールケージを製作する方法ならびにそのようなボールケージを備えた等速ジョイントに関する。
【背景技術】
【０００２】
従来技術から等速ジョイントは広く知られている。等速ジョイントは、ボールケージの他に、通常外側のボールトラックを備えたジョイント外側部分と、内側のボールとラックを備えたジョイント内側部分と、トルク伝達するボールとを有しており、ボールは、外側のボールトラックと内側のボールトラックとから成るボールトラック対偶内でガイドされている。ボールは、ボールケージの、周方向で分配されたケージ窓に収容されていて、ジョイント屈曲状態で角度二等分平面上をガイドされる。摺動ジョイントは、真っ直ぐな、または螺旋形のボールトラックを備えていて、したがってジョイント外側部分とジョイント内側部分との間で軸方向摺動および角度運動を実現する。
【０００３】
ＶＬ摺動式ジョイント（クロストラックジョイント；ｃｒｏｓｓ  ｔｒａｃｋ  ｊｏｉｎｎｔｓ）は、等速ジョイントの特別な構造を成している。ＶＬ摺動ジョイントは、各ジョイント部分の縦軸線に対して第１の交差角度で延びる第１のボールトラックと、各ジョイント部分の縦軸線に対して第２の交差角度で延びる第２のボールトラックとをそれぞれ備えたジョイント外側部分とジョイント内側部分とを有している。第１の交差角度と第２の交差角度とは、同じ大きさであり、縦軸線に対して互いに逆向きになっている。それぞれ外側の第１のボールトラックは、内側の第２のボールトラックと交差しており、それぞれ外側の第２のボールトラックは、内側の第１のボールトラックと交差している。外側のボールトラックと内側のボールトラックとから成るそのようなボールトラック対偶に、ボールが収容され、ガイドされている。ボールは、ボールケージの窓内で共通の平面上で保持される。
【０００４】
ドイツ連邦共和国特許公告第１０２５０４１９号明細書には、自動車の駆動トレーンのためのＶＬジョイントと縦方向摺動ユニットとを備えた駆動軸構造が開示されている。ＶＬジョイントのケージは、内側円筒形のガイド面を有しており、ガイド面でＶＬジョイントが、ジョイント内側部分の球形の外面にガイドされている。
【０００５】
ドイツ連邦共和国特許出願公開第１９７０４７６１号明細書から、ＶＬ摺動ジョイントが公知であり、ここではそれぞれ２つの第１のボールトラックと２つの第２のボールトラックとが、互いに周方向で隣接配置されている。ドイツ連邦共和国特許出願公開第１０３５３６０８号明細書から、ＶＬジョイントが公知であり、ケージ窓における、ジョイントのガイドフランクは、ヘルツ接触を低減するために面取りされている。これらの両文献では、ケージが球形の内面を有しており、内面は、ジョイントの伸びた状態で、ジョイント内側部分に向いたリングギャップを有している。
【０００６】
ドイツ連邦共和国特許出願公開第１０２５３６２７号明細書から、等速ジョイントのためのボールケージが公知であり、ボールケージは、ウェブの領域で、内側リング面に、軸方向で延びる取付拡張部を有している。
【０００７】
ドイツ連邦共和国特許出願公開第４２１１７５８号明細書から、等速ジョイントのためのボールケージを製作する方法が公知である。この場合素材を深絞り加工して、外側の突起および内側の突起を形成して、カップが製造される。次いでカップの底が打抜加工される。カップの縁は、窓の設けられる箇所で圧印加工される。最終的に打抜加工され、窓が形成される。
【０００８】
ドイツ連邦共和国特許出願公開第１９８２４３９４号明細書から、ボールケージのケージ窓を仕上げる方法および装置が公知である。ここではケージ窓の、周方向に向いた縁部が、非切削式の変形によって平滑かつ平行にされる。
【０００９】
ドイツ連邦共和国特許出願公開第３８１８７３０号明細書から、いわゆるＸＬジョイントが公知であり、ＸＬジョイントは、互いに交差するボールトラックの対偶と軸平行なボールトラックの対偶とを備えている。
【特許文献１】ドイツ連邦共和国特許公告第１０２５０４１９号明細書
【特許文献２】ドイツ連邦共和国特許出願公開第１９７０４７６１号明細書
【特許文献３】ドイツ連邦共和国特許出願公開第１０３５３６０８号明細書
【特許文献４】ドイツ連邦共和国特許出願公開第１０２５３６２７号明細書
【特許文献５】ドイツ連邦共和国特許出願公開第４２１１７５８号明細書
【特許文献６】ドイツ連邦共和国特許出願公開第１９８２４３９４号明細書
【特許文献７】ドイツ連邦共和国特許出願公開第３８１８７３０号明細書
【発明の開示】
【発明が解決しようとする課題】
【００１０】
したがって本発明の課題は、等速ジョイントのためのボールケージならびにそのようなボールケージを製作する方法を改良することであり、この場合ボールケージは、簡単かつ経済的に製造可能であるよう所望される。本発明の別の課題は、等速ジョイントを改良して、そのようなボールケージの設けられたものを提供することである。
【課題を解決するための手段】
【００１１】
この課題を解決するための本発明の手段によれば、等速ジョイント、特に摺動式等速ジョイントのためのボールケージにおいて、ボールケージが、縦軸線を有するリング体から成っており、リング体に、周に沿って分配された複数の窓が形成されており、これらの窓が、周方向でみて縦ウェブによって互いに分離されていて、かつ軸方向でリングウェブによって制限されており、リングウェブが、ボールケージの、窓の配置された周方向領域で、ボールケージの、縦ウェブの配置された周方向領域よりも大きな半径方向肉厚を有している。
【００１２】
その利点とするところによれば、ボールが、リングウェブの、肉厚化された周方向領域に配置されている。したがってボールは、ジョイントが大きく屈曲した状態でも、ひいてはボールケージに対してボールが半径方向運動した状態でも、側方でリングウェブのガイドフランクにガイドされる。したがって等速ジョイントの耐用年数が高められる。本発明によるボールケージは、ボールケージがジョイント内側部分に対して軸方向摺動可能であるよう所望される等速ジョイントに適している。この等速ジョイントは、摺動式等速ジョイントであり、特にＶＬジョイントまたはＸＬジョイントである。
【００１３】
有利な実施形態によれば、比較的大きな半径方向肉厚を有する周方向領域が、半径方向内向きの縦方向で延びる厚み部によって形成されている。有利には、半径方向の厚み部は、円筒形の面区分と、周方向で該面区分に続く移行区分とを備えている。この場合円筒形の面区分は、総じて、ジョイント内側部分の、縦断面図でみて屋根形の外面に対向してボールケージをガイドするのに役立つ。
【００１４】
特に有利には、半径方向の厚み部が、周方向で窓よりも短くなっている。したがって厚み部は、完全に所属の窓の周方向延伸部の内側に位置しており、したがってボールを側方でガイドする必要のある領域に制限されている。さらにジョイント内側部分の、２つのボールトラックの間に形成されたウェブは、ジョイントの屈曲状態で、厚み部の間で縦方向に延びる凹部に進入することができる。これによってボールトラックにおけるボール接触角度が拡大されるように、ハブ形状を形成することができ、これによってジョイントの比較的高い耐用年数が得られる。窓は、通常共通の窓中央平面上に位置する。
【００１５】
有利には、リング体は、縦断面図でみて、軸方向でアンダカットされた内側リング面を備えているので、ボールケージを製造するための素材として成形管を使用することができる。このようにしてリングウェブは、周方向領域で大小の肉厚を有して形成され、このようなリングウェブによって、ボールガイドの改善が実現される。リング体の内側リング面の機械加工は不要である。したがって総じてボールケージの製造に関して、比較的短い加工時間で簡単な製作が得られる。リング体は、外側で、縦断面図でみて、屋根形の外側リング面を備えており、外側リング面は、ジョイント外側部分の円筒形の内面に対向してボールケージを操作するのに役立つ。
【００１６】
また前述の課題を解決するための別の手段によれば、等速ジョイントのためのボールケージを製作する方法において、以下の方法ステップ；管外面と管内面と間に、比較的大きな肉厚を有する、縦方向で延びる複数の周方向領域と、周に沿ってこれらの周領域と交互に位置する、比較的小さな肉厚を有する、縦方向で延びる複数の周方向領域とを備えた、長さにわたって一定の横断面を有する成形管を準備し、成形管を短縮してリング部分を形成し、比較的大きな肉厚を有する周方向領域でリング部分に、周に沿って分配された窓を形成する、ステップを有する。
【００１７】
本発明に従って製作されたボールケージによって、比較的短い加工時間で簡単な製作の前述の利点が提供される。素材として成形管を使用することによって、予め大小の肉厚を有する周方向領域を設けることができる。リング部分の内面の後機械加工は不要であるので、製作方法ステップを短縮することができる。
【００１８】
有利な実施形態によれば、成形管は、円筒形の管外面を有している。さらに成形管は、横断面図でみて、有利には波形の管内面を有している。この場合波形の管内面は、大小の肉厚を有する周方向領域を形成する。比較的大きな肉厚を有する周方向領域は、有利には半径方向内向きの縦方向で延びる厚み部によって形成されている。この場合厚み部は、有利には中央の円筒形の面区分と、この面区分に周方向で外側に続く移行区分とを有している。
【００１９】
有利には別の方法ステップ；リング部分の円筒形の外面を旋削加工し、縦断面図でみて、屋根形の外側リング面を形成する方法ステップが設けられている。外面の旋削加工に対して選択的に、別の製作方法、たとえば形状を付与する製作方法が考えられる。
【００２０】
リング部分に窓を形成する方法ステップは、有利には打抜作業である。もちろん非円形の旋削加工またはフライス加工のような慣用の旋削式の製作方法も考えられる。窓は、有利には共通の平面上でリング部分に形成される。
【００２１】
前述の課題を解決するための別の手段によれば、等速ジョイント、特に摺動式等速ジョイントであって、縦軸線と交差する外側のボールトラックのグループを備えたジョイント外側部分が設けられており、縦軸線と交差する内側のボールトラックのグループを備えたジョイント内側部分が設けられており、縦軸線と交差する外側のボールトラックと、縦軸線と交差する内側のボールトラックとが、交差していて、かつ対偶を成しており、トルク伝達するボールが設けられており、ボールが、互いに交差する外側のボールトラックと内側のボールトラックとの対偶によって収容され、かつガイドされており、周に沿って分配された窓を備えたボールケージが設けられており、窓内で、トルク伝達するボールが、共通の平面上に保持されているものにおいて、前述の構成をしたボールケージが設けられている。
【００２２】
本発明によるボールケージの使用によって、総じて高い耐用年数を有する等速ジョイントが得られる。なぜならばボールが、側方で、周方向で延びる比較的大きな肉厚を有するガイドフランクに、ジョイントの全屈曲角度にわたって良好にガイドされるからである。さらに比較的高い耐用年数は、各ボールトラックにおけるボールの実現可能な比較的大きな接触角度に基づいて得られる。さらにジョイントは、総じて安価に製作することができる。なぜならばボールケージの内面の機械加工が不要であるという理由による。
【００２３】
第１の実施形態によれば、縦軸線Ａと交差する外側のボールトラックおよび内側のボールトラックのグループは、それぞれ逆向きに傾斜したボールトラックの部分グループを有している。要するに第１の角度α１もしくはこれとは異なる第２の角度α２で縦軸線Ａと交差する外側の第１のボールトラックおよび外側の第２のボールトラックが設けられており、さらに第１の角度β１もしくはこれとは異なる第２の角度β２で縦軸線Ａと交差する内側の第１のボールトラックおよび内側の第２のボールトラックが設けられており、この場合外側の第１のボールトラックの第１の角度α１と、内側の第１のボールトラックの第１の角度β１とは、同じ大きさで、互いに逆向きであり、外側の第２のボールトラックの第２の角度α２と、内側の第２のボールトラックの第２の角度β２とは、同じ大きさで、互いに逆向きである。そのように形成されたジョイントは、ＶＬ摺動式ジョイントと呼ばれる。
【００２４】
別の実施形態によれば、ジョイント外側部分は、縦軸線Ａに対して平行に延びる、外側のボールトラックの別のグループを有しており、ジョイント内側部分は、縦軸線Ａに対して平行に延びる、内側のボールトラックの別のグループを有しており、この場合それぞれ別の外側のボールトラックと、別の内側のボールトラックとは、対向していて、対偶を成している。そのようにして形成されたボールトラックの対偶に、それぞれボールが収容されて、ガイドされている。軸平行に延びるボールトラックの別のグループのボールトラックは、一般的な形式で、縦軸線Ａと交差するボールトラックのグループのボールトラックと、周に沿って交互に配置されている。そのようにして形成された等速ジョイントは、ＸＬジョイントとも呼ばれる。
【００２５】
第２の実施形態では、縦軸線と交差する外側のボールトラックのグループのボールトラックが、互いに同方向で傾斜しており、縦軸線Ａと交差する内側のボールトラックのグループのボールトラックが、同様に互いに同方向で傾斜しており、この場合外側のボールトラックが縦軸線Ａと交差する角度α１と、内側のボールトラックが縦軸線Ａと交差する角度βとは、同じ大きさで、逆向きになっている。有利な実施形態では、軸平行の外側のボールトラックの別のグループと、軸平行の内側のボールトラックの別のグループとが設けられている（ＸＬジョイント）。軸平行のボールトラックは、一般的な形式で、交差するボールトラックと周に沿って交互に配置されている。
【発明を実施するための最良の形態】
【００２６】
次に本発明の実施の形態を図示の実施例を用いて詳しく説明する。
【００２７】
以下にまとめて説明する図１のａ）〜ｅ）には、以下に詳説する、摺動式等速ジョイントとして構成された等速ジョイントのためのボールケージ２を示した。摺動式等速ジョイントは、内側円筒形のガイド面を有するジョイント外側部分と、外側で凸状のガイド面を有するジョイント内側部分と、トルク伝達するボールを収容するためのボールケージ２とを備えている。
【００２８】
ボールケージ２は、縦軸線Ａを有するリング体として形成されていて、かつ周方向で分配された、トルク伝達するボールを収容するための複数の窓３を備えている。周方向で隣接する２つの窓３の間に縦ウェブ４が形成されており、縦ウェブ４は、窓３を側方で制限する２つのリングウェブ５，６を互いに結合している。窓３の個数は、使用されるボールの数に基づいて調整されていて、一般的には６または８である。複数の窓３が相俟って平面Ｍを規定しており、平面Ｍ上でボールが保持される。この平面Ｅは、ジョイントが角度を成した状態で、ジョイント内側部分とジョイント外側部分との間の角度二等分平面を成す。
【００２９】
ボールケージ２は、外側リング面７を備えており、外側リング面７は、ジョイント外側部分の内側円筒形のガイド面と直に接触し、したがってジョイント外側部分に対向するボールケージ２の操作に役立つ。外側リング面７は、軸方向で中央の球形の面区分８または類似の樽形の面区分を備えており、この面区分８に円錐形の面区分９，１０が接線方向で続いている。この場合円錐形の面区分９，１０の円錐角は、摺動式等速ジョイントの半分の最大屈曲角度に相当する。
【００３０】
内側でボールケージ２は、アンダカットされていない内面１２を有しており、内面１２の横断面は円筒面とは異なっている。内面１２は、縦ウェブ４とリングウェブ５，６とによって形成されている。図面から判るように、リングウェブ５，６は、ボールケージの、窓３の位置する周方向領域で、それぞれ窓の間の、縦ウェブ４の位置する周方向領域よりも大きな肉厚を有している。比較的大きな肉厚を有する周方向領域は、半径方向内向きの縦方向で延びる厚み部１３によって形成されており、この場合周方向で隣接する２つの厚み部１３の間に、それぞれ縦方向で延びる凹部１４が形成されている。厚み部１３は、部分円筒形の面区分１５と、周方向でこれに続く移行区分１６，１７とを備えており、部分円筒形の面区分１５は、図示していないジョイント内側部分の外面と接触し、移行区分１６，１７は、凹部１４に通じている。軸方向でそれぞれ反対側に位置する２つの厚み部１３は、窓３に保持されるボールをガイドするためのガイドフランク１８を成している。
【００３１】
ボールケージ２の内面１２のアンダカットされていない構成によって、ボールケージ２は、素材として連続引抜加工された成形管から製作することができる。そのような連続引抜加工された成形管は、円筒形の外面と、横断面でみて、長さにわたって一定の横断面を有する波形の内面とを有している。第１の製作ステップで、提供された成形管が短く切断（短縮）されるので、閉じた外套面を有するリング部分２１が形成される。そのようなリング部分２１は、図２に示しており、ここでは円筒形の外面２２および波形の内面２３が看取される。
【００３２】
後続の製作ステップで、窓がリング部分２１の外套面に形成され、それも周方向領域で比較的大きな肉厚を有して形成される。この場合窓は、規則的に周にわたって分配配置されていて、かつ共通の平面Ｅ上に位置するように、形成される。窓を形成する製造方法として、たとえば打抜作業が用いられ、この場合旋削加工またはフライス加工も考えられる。打抜加工のあとで、ボールケージ２は、一般的な形式で硬化される。
【００３３】
別の製造ステップで、リング部分の外周面２２が加工され、横断面でみて、屋根形の外側リング面が形成される。このために有利には旋削作業が用いられ、この場合形状を付与する製造方法が考えられる。さらに軸方向で互いに反対向きの端面２４が形成される。
【００３４】
リング部分２１の内面２３は、最後まで未加工のまま維持されるので、ここでは製作ステップを省略することができる。この場合リング部分２１の比較的大きな肉厚の周方向領域が、完成したボールケージ２の厚み部１３を成しており、これに対して比較的小さな肉厚の周方向領域は、厚み部１３の間で縦方向に延びる凹部１４を成している。凹部１４によって材料が節約され、ジョイント２が角度を成した状態で、ジョイント内側部分のための自由空間が提供される。
【００３５】
図３には、本発明による摺動式等速ジョイント３１を示しており、摺動式等速ジョイント３１は、外側のボールトラック３３を有するリング状のジョイント外側部分３２と、内側のボールトラック３５を有するハブ状のジョイント内側部分３４と、トルク伝達するボール３６（ボール３６はそれぞれ外側のボールトラック３３と内側のボールトラック３４とから成るトラック対偶にガイドされている）と、周方向で分配された窓３を有する、前述の実施例に基づく本発明によるボールケージ２とを備えており、窓３にボール３６が収容されている。
【００３６】
外側のボールトラックのうち、第１のボールトラック３３1は、周に沿ってみて、ジョイントの伸びた状態で縦軸線Ａに対して第１の交差角度α１を有しており、これに対して第２のボールトラック３３2は、これと同じ大きさで逆向きの交差角度α２を有している。内側のボールトラックのうち、第１のボールトラック３５2は、周に沿ってみて、ジョイントの伸びた状態で縦軸線Ａに対して第１の交差角度β１を有しており、これに対して第２のボールトラック３５2は、これと同じ大きさで逆向きの交差角度β２を有している。交差する外側および内側のボールトラック３３1，３５1；３３2，３５2は、対偶を成して周に沿って分配配置されており、この場合ジョイントの伸びた状態で縦軸線Ａに対する交差角度α１，β１；α２，β２は、個々の対偶において同じ大きさで逆向きに提供されている。これによってそれぞれトラック対偶に収容されたボール３６のためのボールトラック３３，３５の操作機能が保証され、ボール３６はそれぞれ中心で、トラック対偶の中央線の交差点上に位置する。ボールトラック３３，３５は、それぞれ真っ直ぐに、もしくは螺旋形に延びている。
【００３７】
ジョイント外側部分３２に、ボールケージ２をガイドするための内側円筒形のガイド面３７が設けられている。ジョイント外側部分３２は、周にわたって分配された、図示していない接続フランジにねじ止めするための複数の貫通孔３８を備えている。ジョイント内側部分３４は、縦断面図でみて、屋根形のガイド面３９を備えており、ガイド面３９は内側のボールトラック３５によって中断されている。屋根形のガイド面３９は、球形の面区分４０と、これに接線方向で続く円錐形の面区分４１，４２とから組み合わされる。ガイド面３９でジョイント内側部分３４は、ボールケージ２の内面１２に対向してガイドされていて、それも周方向でみて厚み部１３の間に配置された、縦方向で延びる部分円筒形の凹部１４にガイドされている。さらにジョイント内側部分３４に、駆動軸を挿入するための縦歯列を備えた中央開口４３が設けられている。
【００３８】
図４には、ジョイント構造の理解を容易にすることを意図して、ボールトラックの領域でＶＬジョイントを展開図で示した。この場合実線で示したジョイント外側部分３２と、波線で示したジョイント内側部分３４とは、上下に位置する。ジョイント外側部分３２には、外側の第１のボールトラック３３1ならびに外側の第２のボールトラック３３2が示されており、外側の第１のボールトラック３３1は、縦軸線Ａと第１の交差角度α１を成し、外側の第２のボールトラック３３2は、縦軸線Ａと同じ大きさで逆向きの交差角度α２を成す。同様の形式でジョイント内側部分３４に、内側の第１のボールジョイント３５1および内側の第２のボールトラック３５2が設けられており、これらもまた縦軸線Ａと、同じ大きさで、しかしながら交差角度α１，α２とは逆向きの交差角度β１，β２を成す。この場合共通の平面Ｍ上でボールケージ２によって保持されるボールは、第１のボール３６1および第２のボール３６2として区別される。各トラック対偶の、交差するボールトラック３３，３５に基づいて、ボールに、トルク伝達時に軸方向力が及ぼされる。この場合第１のボール３６1に及ぼされる軸方向力は、それぞれ第２のボール３６2に及ぼされる軸方向力に対して逆向きになっている。この記載の軸方向力に、ボール３６を共通の平面Ｍ上に保持しようとするボールケージ２が対抗する。軸方向力自体は、トルク方向の変向に際して、それぞれ逆の軸方向に変向する。この場合ボール３６は、それぞれケージ窓３のガイドフランク１８に接触する。接触点で高いヘルツ接触（Hertz'sche Pressung；曲面の間の圧縮力）が生じ、これによりボールケージの損傷の生じる恐れがある。本発明による、窓３の領域で厚み部１３を備えたボールケージ２の構造によって、ガイド面１８は、比較的大きな半径方向延伸度を有しているので、ボールは、比較的大きな屈曲角度でもガイドフランク１８の縁部から十分な距離を有している。これによって接触領域における摩耗が低減され、ジョイントの耐用年数が高められる。さらにこれによってジョイント内側部分３４のボールトラック３５は、ボール３６に対して比較的大きな接触角を有して形成することができ、このことによっても耐用年数の増加がもたらされる。
【００３９】
図５には、等速ジョイントの別の実施例を部分的な展開図で示した。ここで提供される等速ジョイントの構造および機能形式は、実質的に図３および図４に示したジョイントに相当する。共通点については、前述の説明を参照されたい。またここでは同じ構成部材には、同じ符号を用いた。以下に相違点について説明する。看取されるように、ジョイント外側部分３２は、外側の第３のボールトラック３３3の別グループを備えており、外側の第３のボールトラックは、縦軸線Ａに対して平行に延びており、ジョイント内側部分３４は、内側の第３のボールトラック３５3の別グループを備えており、ボールトラック３５3は、縦軸線Ａに対して平行に延びている。それぞれ外側の第３のボールトラック３３3および内側の第３のボールトラック３５3は、対向していて、かつ相俟って対偶を成す。そのように形成された、軸平行のボールトラック３３3，３５3の対偶に、それぞれボール３６3が収容され、かつガイドされている。また看取されるように、周にわたって、軸平行のボールトラック３３3，３５3の対偶は、交差するボールトラック３３1，３５1；３３2，３５2の対偶と交互に位置する。
【００４０】
そのようにして形成された等速ジョイントは、ＸＬジョイントとも呼ばれる。この場合伸びたジョイントで、縦軸線Ａに対して平行のボールジョイント３３3，３５3の対偶におけるボール３６3だけがトルクを伝達し、これに対して縦軸線Ａと交差するボールトラック３３1，３５1；３３2，３５2においてボール３６1，３６2にトルク下で自由な軸方向力が生じる。この自由な軸方向力は、ジョイント外側部分３２とジョイント内側部分３４との間に軸方向の補償運動を形成し、それももはやボール３６1，３６2が斜めのボールジョイント３３1，３５1；３３2，３５2において力伝達するトラック接触を有していないようになるまで形成する。図示したジョイントは、それぞれ軸平行な３つのトラック対偶と、軸と交差する３つのトラック対偶とを備えており、これらのトラック対偶は、周に沿って交互に位置し、したがって全体で６個のボールを収容するように形成することができる。同様にジョイントは、軸平行の４つのトラック対偶と、軸と交差する４つのトラック対偶とを備えることもでき、これらのトラック対偶は、周に沿って交互に位置し、したがって全体として８個のボールを収容する。
【００４１】
図６には、等速ジョイントの別の実施例を部分展開図で示した。ここで提供される等速ジョイントの構造および機能形式は、実質的に図５に示したジョイントに相当する。共通点については、前述の説明を参照されたい。またここでは同じ構成部材には、同じ符号を用いた。図５に示した実施例とは異なって、縦軸線Ａに対して角度を成して延びる外側のボールトラック３３1のグループのボールトラックは、互いに同方向で傾斜しており、つまり逆向きに傾斜したボールトラックを備えた部分グループは設けられていない。したがって縦軸線Ａに対して角度を成して延びる内側のボールトラック３５1のグループのボールトラックもまた、互いに同方向で傾斜している。看取されるように、斜めに延びる外側のボールトラック３３1が縦軸線Ａと交差する角度α１と、斜めに延びる内側のボールトラック３５1が縦軸線Ａと交差する角度β１とは、同じ大きさで、逆向きになっている。交差する第１のボールトラック３３1，３５1対偶は、軸平行の第３のボールトラック３３3，３５3の対偶と交互に位置する。したがってこのようなタイプのＸＬジョイントの特徴によれば、ジョイント外側部分３２とジョイント内側部分３４４とが、それぞれ２種類のボールトラックしか有していない。したがって周に沿って交互に位置して、全体で６個のボールを収容する、軸平行の３つのトラック対偶と軸線と交差する３つのトラック対偶とを有する実施例は、周に沿って交互に位置して、全体で８個のボールを収容する、軸平行の４つのトラック対偶と軸線と交差する４つのトラック対偶とを有する実施例と同様に使用することができる。
【００４２】
以下に本発明の実施例を具体的に記載する。
【００４３】
等速ジョイントのためのボールケージ２において、ボールケージ２が、縦軸線Ａを有するリング体から成っており、リング体に、周に沿って分配された複数の窓３が形成されており、窓３が、周方向でみて縦ウェブ４によって互いに分離されていて、かつ軸方向でリングウェブ５，６によって制限されており、リングウェブ５，６が、ボールケージ２の、窓３の配置された周方向領域で、ボールケージ２の、縦ウェブ４の配置された周方向領域よりも大きな半径方向肉厚を有している。
【００４４】
比較的大きな半径方向肉厚を有する周方向領域が、半径方向内向きの厚み部１３によって形成されている。
【００４５】
半径方向の厚み部１３が、円筒形の面区分１５と、周方向で該面区分１５続く移行区分１６，１７とを備えている。
【００４６】
半径方向の厚み部１３が、周方向で窓３よりも小さくなっている。
【００４７】
リング体が、縦断面図でみて、軸方向でアンダカットされた内側リング面１２を有している。
【００４８】
リング体が、縦断面図でみて、屋根形の外側リング面７を有している。
【００４９】
リング体が、成形管から製作されている。
【００５０】
等速ジョイントのためのボールケージを製作する方法において、以下の方法ステップ；管外面２２と管内面２３と間に、比較的大きな肉厚を有する、縦方向で延びる複数の周方向領域と、周に沿ってこれらの周領域と交互に位置する、比較的小さな肉厚を有する、縦方向で延びる複数の周方向領域とを備えた、長さにわたって一定の横断面を有する成形管を準備し、成形管を短縮してリング部分２１を形成し、比較的大きな肉厚を有する周方向領域でリング部分２１に、周に沿って分配された窓３を形成する、ステップを有する。
【００５１】
成形管の管外面２２を円筒形に構成する。
【００５２】
成形管の管内面２３を、横断面でみて、波形に形成する。
【００５３】
比較的大きな肉厚を有する周方向領域を、半径法内向きの縦方向で延びる厚み部１３によって形成する。
【００５４】
厚み部１３が、円筒形の面区分１５と、周方向でみて側方で該面区分１５に続く移行区分１６，１７とを有するようにする。
【００５５】
リング部分２１の内面２３を機械的に未加工のまま維持する。
【００５６】
リング部分２１の外面を旋削加工し、縦断面図でみて屋根形の外側リング７を形成する別の製作方法ステップを有する。
【００５７】
リング部分２１の外面２２を変形加工し、縦断面図でみて、屋根形の外側リング面７を形成する別の製造方法ステップを有する。
【００５８】
打抜加工によって、リング部分２１に窓３を形成する。
【００５９】
旋削加工によって、リング部分２１に窓３を形成する。
【００６０】
等速ジョイント、特に摺動式等速ジョイントであって、縦軸線Ａと交差する外側のボールトラック３３のグループを備えたジョイント外側部分３２が設けられており、縦軸線Ａと交差する内側のボールトラック３５のグループを備えたジョイント内側部分３４が設けられており、縦軸線Ａと交差する外側のボールトラック３３と、縦軸線Ａと交差する内側のボールトラック３５とが、交差していて、かつ対偶を成しており、トルク伝達するボール３６が設けられており、ボール３６が、互いに交差する外側のボールトラック３３と内側のボールトラック３５との対偶によって収容され、かつガイドされており、周に沿って分配された窓３を備えたボールケージ２が設けられており、窓３内で、トルク伝達するボール３６が、共通の平面Ｍ上に保持されているものにおいて、ボールケージが前述の形式で形成されている。
【００６１】
縦軸線Ａと交差する外側のボールトラック３３1のグループのボールトラック３３1が、互いに同一方向で斜めに延びており、縦軸線Ａと交差する内側のボールトラック３５1のグループのボールトラック３５1が、互いに同一方向で斜めに延びており、外側のボールトラック３３1が縦軸線Ａと交差する角度α１と、内側のボールトラック３５1が縦軸線Ａと交差する角度β１とが、同じ大きさで、逆向きになっている。
【００６２】
縦軸線Ａと交差する外側のボールトラック３３1，３３2のグループが、第１の角度α１で縦軸線Ａと交差する外側の第１のボールトラック３３1と、第２の角度α２で縦軸線と交差する外側の第２のボールトラック３３2とを備えており、縦軸線Ａと交差する内側のボールトラック３５1，３５2のグループが、第１の角度β１で縦軸線Ａと交差する内側の第１のボールトラック３５1と、第２の角度β２で縦軸線Ａと交差する外側の第２のボールトラック３５2とを備えており、外側の第１のボールトラック３３1の第１の角度α１と、内側の第１のボールトラック３５1の第１の角度β１とが、同じ大きさで、逆向きになっており、外側の第２のボールトラック３３2の第２の角度α２と、内側の第２のボールトラック３５2の第２の角度β２とが、同じ大きさで、逆向きになっている。
【００６３】
ジョイント外側部分３２が、縦軸線Ａに対して平行に延びるボールトラック３３3の別のグループを備えており、ジョイント内側部分３４が、縦軸線Ａに対して平行に延びるボールトラック３５3の別のグループを備えており、別の外側のボールトラッ３３3と、別の内側のボールトラック３５3とが、対向していて、かつ対偶を成している。
【図面の簡単な説明】
【００６４】
【図１】本発明による、摺動式等速ジョイントのためのボールケージを示す、ａ）は、斜視図であり、ｂ）は、側面図であり、ｃ）は、ｂ）のＣ−Ｃ線に沿った縦断面図であり、ｄ）は、ｂ）のＤ−Ｄ線に沿った縦断面図であり、ｅ）は、ｃ）のＥ−Ｅ線に沿った縦断面図である。
【図２】素材として成形管から分離された、図１に示したボールケージを製作するためのリング部分を示す側面図である。
【図３】図１に示した本発明によるボールケージを備えた摺動式等速ジョイントの第１実施例を、ａ）は、ジョイント外側部分に対して角度を成したジョイント内側部分を備えた状態で、軸方向でみて示す図であり、ｂ）は、ａ）のＢ−Ｂ線に沿って示す縦断面図である。
【図４】図３に示した摺動式等速ジョイントの部分展開図である。
【図５】図１に示した本発明によるボールケージを備えた摺動式等速ジョイントの第２実施例の部分展開図である。
【図６】図１に示した本発明によるボールケージを備えた摺動式等速ジョイントの第３実施例の部分展開図である。
【符号の説明】
【００６５】
２  ボールケージ、  ３  窓、  ４  縦ウェブ、  ５  リングウェブ、  ６  リングウェブ、  ７  外側リング面、  ８  面区分、  ９  面区分、  １０  面区分、  １２  内側リング面、  １３  厚み部、  １４  凹部、  １５  面区分、  １６  移行区分、  １７  移行区分、  １８  ガイドフランク、  ２１  リング部分、  ２２  外面、  ２３  内面、  ２４  端面、  ３１  等速ジョイント、  ３２  ジョイント外側部分、  ３３  外側のボールトラック、  ３４  ジョイント内側部分、  ３５  内側のボールトラック、  ３６  ボール、  ３７  ガイド面、  ３８  貫通孔、  ３９  ガイド面、  ４０  面区分、  ４１  面区分、  ４２  面区分、  Ａ  縦軸線、  Ｍ  平面、  α  角度、  β  角度
【図１】
2007298167.tif 000003
【図２】
2007298167.tif 000004
【図３】
2007298167.tif 000005
【図４】
2007298167.tif 000006
【図５】
2007298167.tif 000007
【図６】
2007298167.tif 000008